(57)【特許請求の範囲】
【請求項１】
処理すべき汚泥処理流体に、磁性粒子と凝集剤を添加することにより生じた磁性フロックを、磁気的フロック分離手段により汚泥処理流体から分離し、得られた汚泥を処理するための汚泥処理装置であって、前記汚泥処理流体を蓄えておく汚泥タンクと、前記汚泥タンクより搬出された汚泥処理流体を高圧に加圧する加圧手段と、加熱手段により反応温度にまで加熱された前記汚泥処理流体より汚泥を分解する第１の高温高圧反応手段と、前記高温高圧反応手段により分解された汚泥から磁性粒子を磁気的に分離して取り出す磁性粉分離手段と、前記磁性粉分離手段により磁性粒子が除去された高温高圧状態の汚泥処理流体に酸化剤を加えて反応を起こさせる第２の高温高圧反応手段と、前記高温高圧反応手段により処理された高温高圧状態の汚泥処理流体より固体を沈降させて溜めておく固体分離器を有する固体分離手段と、前記固体分離手段に設けられ、かつ固体が分離された汚泥処理流体より浮遊粒子を捕捉する濾過手段と、前記固体分離手段に設けられ、かつ濾過手段により濾過された汚泥処理流体中の気体を蓄圧する蓄圧手段と、前記固体分離手段に設けられ、かつ前記固体分離器に溜められた固体および前記濾過手段で捕捉された捕捉物を排出する開放弁と、前記高温高圧状態の汚泥処理流体をを大気圧に減圧して放出する減圧手段とを具備したこを特徴とする汚泥処理装置。
【請求項２】
複数の固体分離手段を並列接続すると共に、前記固体分離手段の上流側に、流路を切換える弁を設けてなる請求項１に記載の汚泥処理装置。
【請求項３】
前記蓄圧器を、前記濾過手段と前記減圧手段の間を接続する配管に対して、上下方向に可動自在に設けてなる請求項１または２に記載の汚泥処理装置。
【発明の詳細な説明】
【０００１】
【発明の属する技術分野】
本発明は汚泥処理流体の浄化後に生じる汚泥を効率よく分離、除去できる汚泥処理装置に関し、特に高圧状態である気体、液体、固体よりなる汚泥処理流体から固体を効率よく除去する汚泥処理装置に関する。
【０００２】
【従来の技術】
従来海、湖沼、河川、貯水池、下水等の汚水を処理する連続水浄化装置から発生した汚泥を処理する汚泥処理装置としては、例えば特表平６−５１１１９０号公報や、特開平１１−１２３３９９号公報に記載された汚泥処理装置が公知である。
【０００３】
前者公報に記載された汚泥処理装置は、汚泥タンクとポンプ、熱交換器、反応器、ヒーター、固液分離器、減圧弁より構成されていて、被処理物である汚泥は、汚泥タンクに蓄えられた後、ポンプにより反応器へ送り込まれて目的の圧力にまで加圧されると共に、熱交換器により目的温度まで予熱されて、酸化分解処理される。
酸化分解処理により大半の被処理物は気体あるいは液体に変化して、固体が少量残るが、この固体を含んだ流体は熱交換器で熱を奪われながら、フィルターや重力沈降を利用して固液分離されるか、そのまま減圧弁に導かれて大気圧に減圧され、処理水となる。
【０００４】
また後者公報に記載された汚泥浄化装置は、被処理物である磁性粉を含んだ汚泥を二段階で加熱、加圧することで汚泥を減容化し、同時に磁性粉を除去できる構成となっている。
【０００５】
【発明が解決しようとする課題】
しかし前者公報に記載された汚泥処理装置では、減圧弁の手前にフィルターを設けているため、フィルターを洗浄する洗浄機構が複雑で、かつ洗浄作業にも手間がかかるなどの問題がある。
【０００６】
またフィルターを洗浄する媒体は、二相流であることが望ましいが、前者公報の汚泥処理装置では、二相流における気体は溶存分である二酸化炭素であり、気化したとしても非常に少量の気泡である上、洗浄するための流体の容量が配管に溜まった分だけの非常に少ない量のため、二相流としての洗浄効果が小さいなどの問題もある。
【０００７】
一方後者公報に記載の汚泥浄化装置では、回収した磁性粉を再利用することができるなどの利点を有しているが、二段階目の高温高圧反応器での温度および圧力が高く設定されているため、装置の製作コストおよび運転コストが高くなるなどの問題がある。
【０００８】
本発明は係る従来の問題点を改善するためになされたもので、汚泥処理流体の浄化後に生じる汚泥を効率よく分離、除去でき、特に高圧状態である気体、液体、固体よりなる汚泥処理流体から固体を効率よく除去できる汚泥処理装置を提供することを目的とするものである。
【０００９】
【課題を解決するための手段】
前記の目的を達成するため請求項１に記載の発明は、処理すべき汚泥処理流体に、磁性粒子と凝集剤を添加することにより生じた磁性フロックを、磁気的フロック分離手段により汚泥処理流体から分離し、得られた汚泥を処理するための汚泥処理装置であって、前記汚泥処理流体を蓄えておく汚泥タンクと、前記汚泥タンクより搬出された汚泥処理流体を高圧に加圧する加圧手段と、加熱手段により反応温度にまで加熱された前記汚泥処理流体より汚泥を分解する第１の高温高圧反応手段と、前記高温高圧反応手段により分解された汚泥から磁性粒子を磁気的に分離して取り出す磁性粉分離手段と、前記磁性粉分離手段により磁性粒子が除去された高温高圧状態の汚泥処理流体に酸化剤を加えて反応を起こさせる第２の高温高圧反応手段と、前記高温高圧反応手段により処理された高温高圧状態の汚泥処理流体より、固体を沈降させて溜めておく固体分離器を有する固体分離手段と、前記固体分離手段に設けられ、かつ固体が分離された汚泥処理流体より浮遊粒子を捕捉する濾過手段と、前記固体分離手段に設けられ、かつ濾過手段により濾過された汚泥処理流体中の気体を蓄圧する蓄圧手段と、前記固体分離手段に設けられ、かつ前記固体分離器に溜められた固体および前記濾過手段で捕捉された捕捉物を排出する開放弁と、前記高温高圧状態の汚泥処理流体を大気圧に下げて放出する減圧手段とより構成したものである。
【００１０】
前記構成により、汚泥処理流体を高温高圧水として凝集剤の凝集作用を壊すことにより、汚泥中の磁性粉の回りから凝集剤が剥離されるようにして、磁性粉を単体で分離するようにしたことから、余分な不純物を添加しなくても純度の高い磁性粉を容易に取り出すことができると共に、磁性粉の酸化温度以下で反応を行うことにより、汚泥中から磁性粉を分離するようにしたことから、磁性粉の磁化率を低下させることがないため、回収した磁性粉の再利用効率を向上させることができる。
【００１１】
また固体、液体、気体の混合流体が流れる配管に固体分離手段を設けて、汚泥処理流体中の固体を除去するようにしたことから、汚泥処理流体を大気圧に減圧して放出する減圧手段が固体により詰まることないため、メンテナンスを必要とせずに長期間の自動運転が可能になると共に、汚泥処理流中に含まれる気体の圧力を利用して濾過手段を洗浄することができるため、洗浄設備や洗浄作業の簡素化が図れるようになる。
【００１２】
前記の目的を達成するため請求項２に記載の発明は、処理すべき汚泥処理流体に、磁性粒子と凝集剤を添加することにより生じた磁性フロックを、磁気的フロック分離手段により汚泥処理流体から分離し、得られた汚泥を処理するための汚泥処理装置であって、前記汚泥処理流体を蓄えておく汚泥タンクと、前記汚泥タンクより搬出された汚泥処理流体を高圧に加圧する加圧手段と、加熱手段により反応温度にまで加熱された前記汚泥処理流体より汚泥を分解する第１の高温高圧反応手段と、前記高温高圧反応手段により分解された汚泥から磁性粒子を磁気的に分離して取り出す磁性粉分離手段と、前記磁性粉分離手段により磁性粒子が除去された高温高圧状態の汚泥処理流体に酸化剤を加えて反応を起こさせる第２の高温高圧反応手段と、前記高温高圧状態の汚泥処理流体を大気圧に下げて放出する減圧手段とより構成したものである。
【００１３】
前記構成により、汚泥処理流体を高温高圧水として凝集剤の凝集作用を壊すことにより、汚泥中の磁性粉の回りから凝集剤が剥離されるようにして、磁性粉を単体で分離するようにしたことから、余分な不純物を添加しなくても純度の高い磁性粉を容易に取り出すことができると共に、磁性粉の酸化温度以下で反応を行うことにより、汚泥中から磁性粉を分離するようにしたことから、磁性粉の磁化率を低下させることがないため、回収した磁性粉の再利用効率を向上させることができる。
【００１４】
また汚泥の減容化により、汚泥処理コストも大幅に低減できると共に、酸化処理を大気と隔離した反応容器内で行うようにしたことから、減圧手段より放出される排気ガスの大半は炭酸ガスや窒素ガス等であるため、悪臭が低減する。
【００１５】
前記の目的を達成するため請求項３に記載の発明は、複数の固体分離手段を並列接続すると共に、前記固体分離手段の上流側に、流路を切換える弁を設けたものである。
【００１６】
前記構成により、一方の固体分離手段の濾過手段に洗浄の必要が生じたら、弁を切換えて他方の固体分離手段で汚泥処理を行うと共に、この間に一方の固体分離手段の濾過手段の洗浄を行うことができるため、汚泥の連続処理を停止することなく固体分離手段の濾過手段を洗浄することができるようになる。
【００１７】
前記の目的を達成するため請求項４に記載の発明は、前記蓄圧器を、前記濾過手段と前記減圧手段の間を接続する配管に対して、上下方向に可動自在に設けたものである。
【００１８】
前記構成により、蓄圧器の傾きを任意の位置に変えて、洗浄流体を気体のみ、液体のみ、気液混合の内、最も洗浄に効果のある流体を選択して流出させることができるため、短時間で能率よく濾過手段の洗浄が行えるようになる。
【００１９】
【発明の実施の形態】
本発明の実施の形態を図１および図２に示す図面を参照して詳述する。
図１は汚泥処理装置の構成図を示すもので、汚泥タンク４には、磁気分離式の水浄化装置で発生した植物プランクトン、凝集剤、磁性粉、水を主成分とする汚泥処理流体が蓄えられていおり、この汚泥処理流体は配管１０１を通じて汚泥ポンプ３に導入されるようになっている。
【００２０】
汚泥ポンプ３の入口部では、薬剤タンク３２から高温高圧水で処理する際に必要な水、反応促進剤、中和剤としてのアルカリ溶液等が弁３３を介して注入されて、汚泥処理流体に添加されるようになっている。
汚泥ポンプ３により目的反応温度の飽和水上気圧以上に加圧された汚泥処理流体は、配管１０２を通って反応管３４a内に吐出され、処理後の汚泥処理流体から熱の回収を行う熱交換器２及びヒータ３５により目的反応温度まで加熱されることにより、高温高圧状態となった汚泥処理流体の分解が行われ後、磁性粉分離手段３８へ導かれる。
【００２１】
なおこのときの反応温度は、好ましくは２００℃未満、さらに好ましくは１９０〜２００℃の範囲である。
またこのときの水熱反応により、磁性フロックの塊であった汚泥が高温高圧の条件にさらされて、結合が破壊されて固形物の各々がバラバラになり、有機物は油状の粘性の高い液体と水分が混在した混合液となる。
これにより磁性粉が単体で分離した状態となると共に、この反応条件下では、磁性粉の酸化は起こらない。
【００２２】
そこでこの亜臨界状態となった汚泥を磁性粉分離手段３８へ導き、汚泥中の磁性粉を磁石３９を用いて捕集するが、この捕集動作を続けていると、磁性粉が蓄積されてくるので、磁石３９を上下動させて磁石３９を遠ざけるか、磁石３９が電磁石の場合は、電磁力を小さくしながら弁４０を開き、内圧を利用して磁性粉スラリを回収する。
【００２３】
磁性粉分離手段３８で磁性粉が除去された汚泥処理流体には、水熱反応を行う際に必要な、酸素や過酸化水素水や空気等の酸化剤、さらに必要に応じて中和剤が、薬剤タンク４１から弁４２、ポンプ４３を介して添加されると共に、汚泥ポンプ３により加圧されている汚泥処理流体は、所定温度を維持するために必要な温度までヒータ４５により加熱、保温される。
【００２４】
このとき反応管３４ｂ内の汚泥処理流体は、添加された酸化剤により有機物や凝集剤が酸化され、有機物は炭酸ガスや窒素ガス、水等に分解される。
分解反応が終了した汚泥処理流体は高温高圧のままであるため、配管１０３を通じて熱交換器２の送られ、熱交換器２で反応前の汚泥処理流体を加熱することによりその熱エネルギーが回収再利用される。
【００２５】
一方熱交換器２の熱交換された汚泥処理流体は、配管１０４および弁１８を通って固体分離手段２０へ流入される。
固体分離手段２０は図２に示すように固体分離器１２を有していて、固体分離器１２に流入された汚泥処理流体中の固体は重力沈降して底部に堆積し、気液相はフィルターよりなる濾過手段１３を通過する際沈降しなかった固体が捕捉物１４となって濾過手段１３の上部で分離された後、浄化流体のみが固体分離器１２の上部より配管１０５を通って減圧弁よりなる減圧手段９に導かれる。
【００２６】
また固体分離器１２の底部には、汚泥処理流体の流入量に応じて固体が堆積してくるので、光、電波、超音波、磁場などを用いた図示しないセンサーより堆積量を検出するか、一定時間経過して所定量の固体が堆積したら開放弁６を開いて、底部に堆積した固体を配管１０７から排出する。
前記配管１０５の途中には、気体と液体が同時に行き来できるような十分な管径を持った配管１０６を介して、蓄圧器１０が接続されている。
【００２７】
なおこの蓄圧器１０は、配管１０５に対して接続部が上下に可動自在な構造を用いるか、フレキシブルホースを用いるなどして、配管１０５に対し上下方向に可動できる状態に接続されていおり、また蓄圧器１０は容量が大きいほど洗浄流体を溜め込めるが、その分強度が必要になるので、汚泥処理装置の規模ごとに適切な大きさの容積に設定することが望ましい。
【００２８】
一方気体が混入している汚泥処理流体が配管１０５を流れる際、蓄圧器１０が気体で飽和するまで蓄圧器１０内に気体が溜まり続けるが、このとき後述する濾過手段１３の洗浄方法に合わせて蓄圧器１０を傾かせて、任意の割合で蓄圧器１０に液体と気体を溜め込む。
そして蓄圧器１０内に気体の流入が飽和した時からは、減圧手段９を通して気体も液体と共に排出されるが、この状態で処理を続けると、固体分離器１２において重力沈降できなかった浮遊粒子が濾過手段１３に堆積するため、圧力損失が増大してくる。
【００２９】
そこで濾過手段１３の前後の圧力を図示しない圧力センサーより測定し、圧力損失がある一定値以上になったら、濾過手段１３に堆積した捕捉物１４を除去する洗浄作業を行う。
この洗浄作業には、蓄圧器１０に溜まった気体の圧力を利用するが、濾過手段１３の上部にある捕捉物１４は、汚泥処理流体中に浮遊していたものなので、再び分散させてしまうと回収するのに時間がかかって能率が悪くなるため、濾過手段１３に堆積している塊状のままの状態で濾過手段１３より剥離して回収する。
【００３０】
捕捉物１４の回収に当たっては、まず配管１０４の弁１８を閉め、配管１０７の開放弁６を適度に開けることにより、濾過手段１３より前段の圧力を徐々に下げる。
これによって蓄圧器１０に溜まった気体が膨張し、濾過手段１３に向かって流体が逆流することになるが、洗浄流体が気体のみ、液体のみ、気液混合の内、最も効果のある流体が流れ出すように、蓄圧器１０の傾きを任意の位置に変えて流体を逆流させる。
【００３１】
またこのときに洗浄に必要な好ましい流体が液体成分である場合、蓄圧器１０内に気体を溜める際に蓄圧器１０を予め傾かせておくか、蓄圧器１０が満杯になる前に弁１９を閉める等の操作により予め準備しておく。
蓄圧器１０より流れ出た流体は、濾過手段１３の上部から濾過手段１３下部に向かって流れる際に、濾過手段１３上部に溜まった捕捉物１４が剥離されて、濾過手段１３下部より配管１０７へ排出されると共に、このとき固体分離器１２に堆積していた固体も同時に排出されるため効率がよい上、短時間で濾過手段１３より汚泥を剥離することができるため、連続処理運転に戻るまでの洗浄作業時間を大幅に短縮することができる。
【００３２】
なおこのとき配管１０４へ流入する汚泥処理流体の流量を少なくしておくことが望ましく、また蓄圧器１０内に貯まっている気体の量が濾過手段１３を洗浄するのに十分でない場合は、コンプレッサーなどで蓄圧器１０に強制的に気体を溜め込むようにしてもよい。
【００３３】
また配管１０４へ流入する汚泥処理流体の流量を少なくしないまま、濾過手段１３の洗浄を行うようにしてもよい。
この場合、配管１０７を通過する流量を定常運転時に配管１０４を通過する流量より多くすることにより、濾過手段１３内で逆流が発生するため、濾過手段１３を洗浄することができると共に、このとき配管１０７からの流出物は、初めは濾過手段１３の底部に堆積していた固体のみなのでこれは廃棄し、固体の流出が終わった後の流出物はほとんどは処理水なので、もう一度汚泥タンク４に戻すか、不純物を含まない場合はそのまま廃棄すればよい。
【００３４】
以上のように汚泥処理流体を処理することによって、減圧手段９を通る流体中には固体がほとんど含まれていないので、減圧手段９が詰まって圧力の上昇を引き起こす可能性は非常に低くなり、これによって安定した汚泥の連続処理運転が可能になる。
また濾過手段１３に堆積した捕捉物１４を効率よく除去するためには、配管１０４へ流入する汚泥処理流体の流量を少なくしておくことが望ましいが、連続運転の途中で配管１０４を流れる汚泥処理流体の流量を変化させたり、停止させたりすると、配管１０４前段での温度制御が不安定になる等の不具合が生じやすくなる。
【００３５】
これを回避するために、図３に示すように複数の固体分離手段２０ａ，２０ｂを並列に設けて、配管１０４からの流入する汚泥処理流体を弁１５および弁１６を切換えることにより、固体分離手段２０ａと２０ｂに振り分ければよい。
すなわち、まず一方の弁１５を開け、他方の弁１６を閉じて固体分離手段２０ａのみで汚泥の処理を行い、固体分離手段２０ａの濾過手段１３に洗浄の必要が生じたら、他方の弁１６を開け、一方の弁１５を閉じて固体分離手段２０ｂで汚泥の処理を行う。
【００３６】
そしてこの間に前記予備洗浄により固体分離手段２０ａの濾過手段１３の洗浄を行い、固体分離手段２０ｂの濾過手段１３に洗浄の必要が生じたら、再び流路を切換えることとにより、連続処理を停止することなく濾過手段１３の洗浄を行うもので、このとき固体分離手段２０を３つ以上設けて、それぞれの固体分離手段２０に振り分けて、洗浄を行うようにしても良い。
【００３７】
以上に説明した本発明の汚泥浄化装置によれば、汚泥を高温高圧水として凝集剤の凝集作用を壊し、これによって汚泥中の磁性粉の回りから凝集剤が剥がれるようにして、磁性粉が単体で分離するため、余分な不純物を添加しなくても純度の高い磁性粉を容易に取り出すことができると共に、磁性粉の酸化温度以下で反応を行うことにより汚泥中から磁性粉を分離するので、磁性粉の磁化率を低下させることがなく、回収した磁性粉の再利用効率を高めることができる。
【００３８】
また汚泥の減容化により、汚泥処理コストも大幅に低減できると共に、酸化処理を大気と隔離した反応容器内で行うようにしたことから、減圧手段より放出される排気ガスの大半は炭酸ガスや窒素ガス等であるため、悪臭を発生することが少ない。
【００３９】
一方図４は汚泥処理装置の変形例を示すもので、次にこれを説明する。
なお汚泥タンク４から熱交換器２までは、図１に示す実施の形態と同一構成のため、その説明は省略する。
熱交換器２により熱交換された汚泥処理流体は、開放弁９で大気圧まで減圧された後、配管１０４を通って汚泥処理流体タンク４９に貯蔵されると共に、汚泥処理流体タンク４９中の窒素ガスや炭酸ガス等の気体は、汚泥処理流体タンク４９の上部に設けられた弁５２、配管５３を介して大気に放出され、汚泥処理流体タンク４９の底部に溜まった固形物は、汚泥処理流体タンク４９の下部から配管５４を通してスラリとして汚泥処理流体タンク４９外に排出される。
また必要に応じて、薬剤タンク５０から中和剤等が弁５１を介して汚泥処理流体へ注入され、処理水が中和される。
【００４０】
以上に説明した変形例によれば、汚泥処理流体を高温高圧水として凝集剤の凝集作用を壊すことにより、汚泥中の磁性粉の回りから凝集剤が剥離されるようにして、磁性粉を単体で分離するようにしたことから、余分な不純物を添加しなくても純度の高い磁性粉を容易に取り出すことができると共に、磁性粉の酸化温度以下で反応を行うことにより、汚泥中から磁性粉を分離するようにしたことから、磁性粉の磁化率を低下させることがないため、回収した磁性粉の再利用効率を向上させることができる。
【００４１】
また汚泥の減容化により、汚泥処理コストの大幅に低減図れる上、汚泥処理流体の酸化処理を、大気と隔離した反応容器内で行うようにしたことにより、処理後に排出される排気ガスは炭酸ガスや窒素ガス等であるため、悪臭の発生を防止することができる。
【００４２】
一方汚泥処理装置の運転時間が非常に長くなってくると、濾過手段１３の内部にまで固体が染み込んでくるので、濾過手段１３の洗浄頻度が増大し、汚泥処理装置の連続運転に支障をきたすようになる。
これを防止するためには、濾過手段１３の内部まで充分に洗浄する完全洗浄を行う方法が有効であり、完全洗浄を行うに当たっては、まず開放弁６の開度を上げ、または汚泥ポンプ３の流量を大きくして、濾過手段１３を逆流する流体の流量をできるだけ多くすればよい。
【００４３】
また図１に示す汚泥処理装置では、開放弁１１を閉鎖し、また汚泥ポンプ３を使用して、固体を含んだ流体を高速で装置内の配管へ流通させることにより、配管の管壁に付着した汚れを排出すことができる。
【００４４】
なお前記実施の形態では、濾過手段１３を縦方向に設置して、汚泥処理流体が下方より上方へ流れるようにしたが、、汚泥処理流体が上方より下方へ流れるようにしてもよく、濾過手段１３を横方向に設置してもよい。
また処理する流体は、汚泥処理流体より含水率が高い廃液や、水以外の有機物等の場合でも同様に適用できると共に、有機物の処理に適用されている超臨界酸化装置などでは、固−気液分離器の他に気−固液、気−液分離器を備えた装置があり、この場合前記汚泥処理装置の固体分離手段２０の設置場所はこれらの後段でも良いが、後段の場合固体分離器１２に設けられた濾過手段１３の洗浄に用いる蓄圧器１０に気体が溜まりにくくなるので、固体分離器１２は前段に設置することが望ましい。
【００４５】
しかし後段に設置した場合でも、濾過手段１３の洗浄を液体で行う場合や、濾過手段１３の洗浄を液体のみで行い、完全洗浄時にのみ大気圧まで減圧するようにすれば、配管１０６に大気に開放できる弁を設けて、大気を蓄圧器１０に流入させられるので、問題なく洗浄できると共に、この場合大気圧まで減圧しなくても、コンプレッサーなどで蓄圧器１０に強制的に気体を溜め込めこむようにしてもよい。
【００４６】
さらに酸化処理ではなく高温高圧の流体を用いた熱分解処理の場合、酸化処理に比べて処理水中の気体含有量は非常に少ないが、同じように操作すれば、問題なく処理できる上、使用する溶媒は水や加圧した二酸化炭素など、液体であればいかなる物でも適用できる。
【００４７】
一方水浄化装置から発生した汚泥の含水率が、トラック等では水分が多すぎて運搬不可能な、例えば８５％より大きくても、本発明の汚泥処理装置を用いれば、高温高圧水で酸化処理できるので汚泥を減容化できる上、低回転数遠心脱水装置や小型のベルト加圧脱水装置で脱水するだけでよいため、運転コストの低減が図れるようになる。
また処理できる汚泥としては、動物プラクトンや植物プランクトンから生じる汚泥の他に、有機、無機物質、重金属物質や化学物質等を含む、海水、河川水、湖沼水、工業廃水、ゴミ処理場の雨水廃水、下水、排煙洗浄水等から発生する汚泥などにも適用できるものである。
【００４８】
【発明の効果】
本発明は以上詳述したように、汚泥処理流体を高温高圧水として凝集剤の凝集作用を壊すことにより、汚泥中の磁性粉の回りから凝集剤が剥離されるようにして、磁性粉を単体で分離するようにしたことから、余分な不純物を添加しなくても純度の高い磁性粉を容易に取り出すことができると共に、磁性粉の酸化温度以下で反応を行うことにより、汚泥中から磁性粉を分離するようにしたことから、磁性粉の磁化率を低下させることがないため、回収した磁性粉の再利用効率を向上させることができる。
【００４９】
また固体、液体、気体の混合流体よりなる汚泥処理流体が流れる配管に固体分離手段を設けて、汚泥処理流体中の固体を除去するようにしたことから、汚泥処理流体を大気圧に減圧して放出する減圧手段が固体により詰まることないため、メンテナンスを必要とせずに長期間の自動運転が可能になると共に、汚泥処理流中に含まれる気体の圧力を利用して濾過手段を洗浄することができるため、洗浄設備や洗浄作業の簡素化が図れるようになる。
【図面の簡単な説明】
【図１】本発明の実施の形態になる汚泥処理装置の構成図である。
【図２】本発明の実施の形態になる汚泥処理装置に設けられた固体分離手段の構成図である。
【図３】本発明の実施の形態になる汚泥処理装置に設けられた固体分離手段の変形例を示す構成図である。
【図４】本発明の実施の形態になる汚泥処理装置の変形例を示す構成図である。
【符号の説明】
２  熱交換器
３  汚泥ポンプ
４  汚泥タンク
６  開放弁
９  減圧手段
１０  蓄圧器
１１  開放弁
１２  固体分離器
１３  濾過手段
１５  弁
１６  弁
２０  固体分離手段
３４  反応器
３５  ヒータ
３８  磁性粉分離器
４５  ヒータ
【図１】
0004648549.tif 000002
【図２】
0004648549.tif 000003
【図３】
0004648549.tif 000004
【図４】
0004648549.tif 000005